(57)【特許請求の範囲】
【請求項１】
テレビ局からの放送波を受信してその受信信号に基づいて所定の画像及び音声から成る番組情報を表示する家庭用のテレビ受信機と、
前記テレビ受信機により受信された前記テレビ局からの放送波による情報の中に「緊急のニュース又はお知らせ」などの緊急情報が含まれていることを検出する緊急情報検出手段と、
前記緊急情報検出手段からの出力に基づいて、前記テレビ受信機により受信された情報の中に含まれている画像もしくは音声から成る緊急情報を、前記テレビ受信機から又はこのテレビ受信機を制御するコンピュータから、リアルタイムに又は所定時間後に、個人が携帯又は身体に装着している個人端末に近距離無線により送信する緊急情報送信手段と、
前記個人端末に備えられ、前記緊急情報送信手段から無線送信された緊急情報を受信して出力する緊急情報出力手段と、
を備えたことを特徴とする生活情報転送システム。
【請求項２】
テレビ局からの放送波を受信してその受信信号に基づいて所定の画像及び音声から成る番組情報を表示する家庭用のテレビ受信機と、
前記テレビ受信機により受信された情報が「緊急のニュース又はお知らせ」などの緊急情報を含んでいるか否かを判定する判定手段と、
前記判定手段からの出力に基づいて、前記テレビが受信した情報が緊急情報を含んでいるとき、前記テレビ受信機により受信された画像又は音声などから成る緊急情報を、前記テレビから又はこのテレビを制御するコンピュータから、リアルタイムに又は所定時間後に、個人が携帯又は身体に装着している個人端末に近距離無線により送信するための緊急情報送信手段と、
前記個人端末に備えられ、前記緊急情報送信手段から無線送信された緊急情報を受信して出力するための緊急情報出力手段と、
を備えたことを特徴とする生活情報転送システム。
【発明の詳細な説明】
【０００１】
【産業上の利用分野】
本発明は、家庭で、個人が寝ていたり家事などの作業をしているときに、急に外部から、電話やインターホンでの呼び出しがあったとき、個人が寝ていたり家事などの作業をしている状態のまま、前記呼び出しに対応できるようにした、生活情報転送システムに関する。
【０００２】
【従来の技術】
従来より、家庭で、個人が寝ていたり家事などの作業をしているときに、急に外部から、電話やインターホンでの呼び出しがあったときは、個人は、寝ていたり家事などの作業をしているのを中断して、電話機やインターホンの場所に行って応対しなくてはならない。
【０００３】
【発明が解決しようとする課題】
しかしながら、このように、いちいち、呼び出しがある毎に、個人は、寝ていたり家事などの作業をしているのを中断して、電話機やインターホンの場所に行って応対するのは、大変に煩雑である。本発明はこのような従来技術の問題点に着目してなされたものであって、家庭内又は戸外で急に電話やインターホンなどでの呼び出しや緊急ニュースの配信があっても、個人が寝ていたり家事（掃除や炊事など）などの作業をしているのを中断しないで対応することができる、生活情報転送システムを提供することを目的とする。
【０００４】
【課題を解決するための手段】
（用語説明）
本発明において、電話機は、固定式電話機のみならず、携帯電話機をも含む。
また、本発明において、家庭内又は戸外でユーザー個人が利用する個人端末（情報端末）は、携帯型のものだけでなく、ユーザーがその身体に装着するタイプのもの、例えば、腕時計型、指輪型、ネックレス型、ブローチ型、なども含む。
また、本発明において、前記テレビは、従来の放送型のテレビ（従来の衛星からの電波や地上波を使う「放送型」のテレビ局からの番組を受信して出力するもの）だけでなく、有線ケーブルを利用したＣＡＴＶ局からの情報を受信して出力するもの、電話回線などからニュースを送信する「通信型（特定者に対する情報配信サービス型）」のインターネット放送局からの情報を受信して出力するもの、などを含む。また、本発明の「テレビ」は、「ラジオ」のように音声のみを出力するものも含む。
（本発明）
本発明の内容は、本明細書の特許請求の範囲に記載した内容のとおりのものである。ここでは重複する記載を省略し、本明細書の特許請求の範囲の記載を援用する。
【０００５】
【発明の実施の形態】
実施形態１．
図１は本発明の実施形態１を示す概略図である。図１において、１はインターホンの室内側装置、１ａはこの室内側装置１に接続されたインターホンの室外側装置（玄関や門扉などの近傍に設置されるもので、来訪者の映像を撮像するためのカメラを備えている）、２は電話機（固定式電話機のみならず、携帯電話機をも含む）、３はテレビ放送からのニュースなどを受信して表示するテレビ（音声のみを出力するラジオでもよい）、４はユーザー個人５が携帯する小型情報端末（上記４は、ユーザーがその身体に装着するタイプのもの、例えば、時計型、腕指輪型、ネックレス型、ブローチ型、などでもよい）。また、前記小型情報端末４には、音声を出力するためのスピーカ（イヤホンを含む）と、映像を表示するためのディスプレイと、音声を入力するためのマイクと、映像を入力するためのカメラと、を備えている。本実施形態１では、前記インターホンの室内側装置１ａ、電話機２、及びテレビ（又は、ラジオ）３と、前記端末４との間で、音声信号や画像信号を、無線でやり取りできるようになっている。
【０００６】
次に、本実施形態の動作を説明する。ユーザー５は、寝るとか家事などの作業をする前に、予め、前記インターホン１、電話機２、及びテレビ３を、「外部から緊急な呼び出し（又は緊急なニュース）が入力されたときは、それに関する信号（音声データと画像データ）を個人端末４に転送すると共に、小型情報端末４からの信号を受信して外部の相手方に送信するなどの所定の処理を行う」ように、設定しておく。
【０００７】
そして、ユーザー５が寝てたり掃除や炊事などの作業をしているときに、急に、外部の来訪者が訪問して来てインターホンの室外側装置１ａのボタンを押して、インターホン１から呼び出しをかけてきたときは、インターホン１（室内側装置）は、前記のユーザー５による事前の設定にしたがって、その外部からの音声信号（及び、前記カメラで撮像された来訪者の姿を示す画像信号）を、端末４に無線で転送する。ユーザー５は、そのときの状態（寝ていたり、掃除や炊事などの作業をしている状態）のままで、端末４により、来訪者の映像を見てその音声を聴くことができる。そして、ユーザー５は、端末４に自分の声と映像を入力することにより、自分の音声信号と自分の顔などの映像の信号を、端末４からインターホンの室内側装置１に無線で転送する。イタンホンの室内側装置１は、前記のユーザー５の音声信号と映像信号をインターホンの室外側装置１ａに送信して、外部の来訪者に対して出力する。以後、同様の動作を繰り返すことにより、外部の来訪者とユーザー５との間での会話（映像を伴う会話）を行うことができる。
【０００８】
また、ユーザー５が寝てたり掃除や炊事などの作業をしているときに、急に、外部から電話機２により呼び出しがかかってきたときは、電話機２は、前記のユーザー５による事前の設定にしたがって、その外部からの音声信号（及び、前記電話機２がテレビ電話用のものであるときは、外部の相手方の顔などを示す映像信号）を、端末４に無線で転送する。ユーザー５は、そのときの状態（寝ていたり、掃除や炊事などの作業をしている状態）のままで、端末４により、電話機２からの音声を聴く（及び、映像を見る）ことができる。そして、ユーザー５は、端末４に自分の声と映像を入力することにより、自分の音声信号と自分の顔などの映像の信号を、端末４から電話機２に無線で転送する。電話機２は、前記のユーザー５の音声信号と映像信号を電話をしてきた相手方に送信する。以後、同様の動作を繰り返すことにより、外部の相手方とユーザー５との間での電話による会話（テレビ電話用の映像を伴う会話）を行うことができる。
【０００９】
さらに、ユーザー５が寝てたり掃除や炊事などの作業をしているときに、テレビ局（従来の衛星からの電波や地上波を使う「放送型」のテレビ局だけでなく、有線ケーブルを利用したＣＡＴＶ局や、電話回線などからニュースを送信する「通信型（特定者に対する情報配信サービス型）」のインターネット放送局、などを含む）から、災害情報などの緊急の情報（緊急ニュース）が配信されたときは、テレビ３は、前記のユーザー５による事前の設定にしたがって、その緊急の情報を示す音声信号及び画像信号を、端末４に無線で転送する。ユーザー５は、そのときの状態（寝ていたり、掃除や炊事などの作業をしている状態）のままで、端末４により、前記テレビ３からの緊急情報の音声及び画像（災害情報などを示す情報）を出力して、その緊急情報（緊急ニュース）を知ることができる。
【００１０】
実施形態２．
次に、図２は、本発明の実施形態２を示す概略図である。図２において図１と共通する部分には同一の符号を付して説明を省略する。図２において、１１は、前記インターホンの室内側装置１ａ、電話機２、及びテレビ（又は、ラジオ）３を制御するためのコンピュータ（制御装置）である。本実施形態２では、前記コンピュータ１１と端末４との間で、音声信号や画像信号を、無線でやり取りできるようになっている。
【００１１】
次に本実施形態２の動作を説明する。ユーザー５は、寝たり掃除などの家事作業をする前に、予め、前記コンピュータ１１に対して、「外部からの急な呼び出しや緊急ニュースがあったときは、それらの情報を無線で端末４に送信すると共に、端末４からの無線情報を受信して所定の処理をする」ように、予め設定しておく。
【００１２】
ユーザーが寝てたり、掃除などの家事作業を行っているとき、外部から訪問者が訪問してきてインターホンを使用して呼び掛けてきたら、コンピュータ１１は、その外部からの音声信号及び映像信号を端末４に無線送信して、端末４からのユーザー５の音声信号及び映像信号を受信して、インターホン１を介してその信号を出力し、来訪者との間でのリアルタイムの会話を成立させる。また、ユーザーが寝てたり、掃除などの家事作業を行っているとき、外部から電話（テレビ電話）による呼び出しがかかったら、コンピュータ１１は、その外部からの音声信号及び映像信号を端末４に無線送信して、端末４からのユーザー５の音声信号及び映像信号を受信して、電話機２を介してその信号を出力し、外部の相手方との間でのリアルタイムの会話を成立させる。さらに、ユーザーが寝てたり、掃除などの家事作業を行っているとき、外部から緊急のニュースがテレビ３に配信されたら、コンピュータ１１は、その緊急ニュースの音声信号及び映像信号を端末４に無線送信して、端末４から出力させる。
【００１３】
実施形態３．
図３は本発明の実施形態３を示すブロック図である。図３において、２１はテレビ局（地上波テレビ局、衛星放送のテレビ局、ケーブルテレビ局など）、３は家庭用テレビ（テレビジョン受信機。なお、このテレビに替えて、ラジオ受信機を使用してもよい）、２２は前記テレビ３に備えられた判定部であって、前記テレビ３が受信した情報が「緊急のニュース又はお知らせ」かどうかを判定するための判定部、２３は前記テレビ３を制御するための制御部、４はユーザー５が携帯する携帯端末である。
本実施形態３では、前記テレビ局２１は、「緊急のニュース又はお知らせ」（例えば、地震発生情報、雷などの異常気象の発生情報、飛行機事故などの発生情報、地域住民への台風による避難のお知らせ、地域住民への地震による避難のお知らせ、など）を発信するときは、そのことを示す識別情報（緊急ＩＤ）を前記「緊急のニュース又はお知らせ」の情報と関連付けて発信する。
この「緊急ＩＤを情報と関連付けて発信（放送）する方法」としては、例えば、次のような方法が可能である。すなわち、最近のＣＳ（通信衛星）を利用したテレビ放送や従来のアナログ地上波放送では、「テレビ電波の隙間にデジタル化したデータ信号を重ねて伝送するデータ放送」のサービスが実用化されている。この「データ放送」を利用すれば、テレビ局２１から、「番組情報」と関連付けた「データ」を放送することが可能である。そして、このデータ放送により送信する「データ」の中に、前記の緊急ＩＤを含めることができる。なお、前述のような「データ放送」は、既に米国で実用化されているＢＳ（放送衛星）を利用したテレビ放送や地上波デジタルテレビ放送などでも、行われている。
なお、本発明では、前述のように、テレビ局が、そこから発信する情報に「緊急ＩＤ」を関連付けて放送しなくても、家庭用テレビ３側で、その受信した情報が「緊急のニュース又はお知らせ」かどうかを判定することは可能である。例えば、テレビ局２１から放送される番組情報の中で、「緊急のニュース又はお知らせ」の情報の中には、通常、「緊急のニュース又はお知らせ」であることを示す文字（例えば「緊急」の文字）が入っていることが多い。そこで、このことを利用して、判定部２２において、テレビ３が受信した情報の内容を常時スクリーニングし監視し、番組情報の中に、そのような文字（例えば「緊急」の文字）を検出したときは、その情報が「緊急のニュース又はお知らせ」であると判定することができる。
また、テレビ局２１が、放送する情報の中に、「緊急のニュース又はお知らせ」があるときは、その「緊急のニュース又はお知らせ」の情報の中に、予め、そのことを示す文字（例えば「緊急」の文字）又はマーク（例えば、救急車の図形）を挿入しておき、前記判定部２２が、前記テレビ３が受信した画像情報の中に前記の「緊急のニュース又はお知らせ」であることを示す文字（例えば「緊急」の文字）又はマーク（例えば、救急車の図形）があるかどうかを検出し（判定部２２は、テレビ３が受信した情報の内容を常時スクリーニングし監視している）、そのような文字又は図形を検出したときは、その情報が「緊急のニュース又はお知らせ」であると判定する、というようにしてもよい。
以上の中のいずれかの方法により判定部２２が、前記テレビ３が受信した情報が「緊急のニュース又はお知らせ」であると判定したときは、判定部２２は、その判定したこと示す判定信号とその判定の対象となった情報を識別するための情報ＩＤとを、制御部２３に送信する（図３では、判定部２２と制御部２３との間に、信号のやり取りを示すラインが表示されていないが、本実施形態３では、前記のような信号や情報が、判定部２２から制御部２３に送信される）。
制御部２３は、前記の判定部２２からの判定信号を受信したときは、その判定信号と共に送信されてきた情報ＩＤが示す情報（「緊急のニュース又はお知らせ」の情報）を、リアルタイムに又は所定時間後に、携帯端末４に無線送信するように、テレビ３を制御する。具体的には、前記情報ＩＤが示す情報（画像と音声）を端末４に無線送信せよとの制御信号をテレビ３に送信し、テレビ３に予め内蔵されている無線機（図示せず）から、リアルタイムに又は所定時間後に、その情報を、端末４に無線送信させる。
【００１４】
【発明の効果】
本発明によれば、家庭内又は戸外で急に電話やインターホンなどでの呼び出しや「テレビ局からの緊急ニュース」の配信（放送・通信）があっても、個人は、個人が寝ていたり家事（掃除や炊事など）などの作業をしているのを中断しないで、それらに対応することができる。
本発明では、テレビが受信したテレビ局からの情報の中に、「緊急のニュース又はお知らせ」が存在したときは、判定手段がそのことを判定し、その「緊急のニュース又はお知らせ」の情報を、リアルタイムに又は所定時間後に、ユーザーが携帯又は装着している端末に無線送信するようにしているので、ユーザーは、常時テレビを見ていなくても、「緊急のニュース又はお知らせ」を、リアルタイムに又は所定時間後に、確実に且つ容易に知ることができるようになる。
【図面の簡単な説明】
【図１】本発明の実施形態１を示す図である。
【図２】本発明の実施形態２を示す図である。
【図３】本発明の実施形態３を示す図である。
【図１】
0004594504.tif 000002
【図２】
0004594504.tif 000003
【図３】
0004594504.tif 000004